(57)【要約】【課題】画像の輝度が低下するのを抑制しながら、再現可能な色域範囲を広げることが可能な表示装置を提供する。【解決手段】この表示装置１００は、赤色カラーフィルタＲ、青色カラーフィルタＢおよび第１の緑色カラーフィルタＧ１を含む第１の組Ｃ１と、赤色カラーフィルタＲ、青色カラーフィルタＢおよび第２の緑色カラーフィルタＧ２を含み、第１の組Ｃ１とカラーフィルタ１１の個数が等しいとともに第１の組Ｃ１とは異なるフィルタの組合せの第２の組Ｃ２とが、互いに規則的に並ぶように配置されている表示部１０を備える。【選択図】図１
2020067519.tif 000002
【特許請求の範囲】
【請求項１】
赤色カラーフィルタと、青色カラーフィルタと、第１の緑色に用いられる第１の緑色カラーフィルタと、前記第１の緑色よりも青色側の色相を有する第２の緑色に用いられる第２の緑色カラーフィルタと、を含むカラーフィルタと、
前記カラーフィルタが配置される表示部と、
を備え、
前記表示部には、前記赤色カラーフィルタ、前記青色カラーフィルタおよび前記第１の緑色カラーフィルタを含む第１の組と、前記赤色カラーフィルタ、前記青色カラーフィルタおよび前記第２の緑色カラーフィルタを含み、前記第１の組と前記カラーフィルタの個数が等しいとともに前記第１の組とは異なるフィルタの組合せの第２の組とが、互いに規則的に並ぶように配置されている、表示装置。
【請求項２】
前記カラーフィルタは、白色カラーフィルタをさらに含み、
前記表示部には、前記赤色カラーフィルタ、前記青色カラーフィルタ、前記第１の緑色カラーフィルタおよび前記白色カラーフィルタの４種類のフィルタからなる前記第１の組と、前記赤色カラーフィルタ、前記青色カラーフィルタ、前記第２の緑色カラーフィルタおよび前記白色カラーフィルタ、または、前記赤色カラーフィルタ、前記青色カラーフィルタ、前記第１の緑色カラーフィルタおよび前記第２の緑色カラーフィルタの４種類のフィルタからなる前記第２の組とが、互いに規則的に並ぶように配置されている、請求項１に記載の表示装置。
【請求項３】
前記表示部において、前記第２の緑色カラーフィルタの数が、少なくとも前記第１の緑色カラーフィルタの数と等しいか、または、前記第１の緑色カラーフィルタの数よりも少なくなるように、前記第２の組の数が、前記第１の組の数と等しいか、または、前記第１の組の数より少なくなるように配置されている、請求項１または２に記載の表示装置。
【請求項４】
前記第１の緑色カラーフィルタは、赤色、青色および緑色の混合量を表す色度を２次元座標で表したｘｙ色度図において、前記赤色カラーフィルタ、前記青色カラーフィルタおよび前記第１の緑色カラーフィルタによって表示可能な色域を示す三角形状の第１色域範囲の緑色側の第１緑色側頂点が、色域規格ＢＴ２０２０の色域範囲の緑色側の頂点と赤色側の頂点とを結ぶ辺の近傍に配置されるように構成されるとともに、前記第２の緑色カラーフィルタは、前記ｘｙ色度図において、前記赤色カラーフィルタ、前記青色カラーフィルタおよび前記第２の緑色カラーフィルタによって表示可能な色域を示す三角形状の第２色域範囲の緑色側の第２緑色側頂点は、前記色域規格ＢＴ２０２０の色域範囲の緑色側の頂点と青色側の頂点とを結ぶ辺の近傍に配置されるように構成されている、請求項１〜３のいずれか１項に記載の表示装置。
【請求項５】
前記第１の緑色カラーフィルタおよび前記第２の緑色カラーフィルタは、それぞれ、前記第１緑色側頂点および前記第２緑色側頂点が、前記ｘｙ色度図において、物体色の色域範囲を示すポインターカラーの色域範囲よりも外側に配置されるように構成されている、請求項４に記載の表示装置。
【請求項６】
前記ｘｙ色度図において、前記色域規格ＢＴ２０２０の緑色側の頂点と赤色側の頂点とを結ぶ辺上の前記第１緑色側頂点の近傍の第１近傍点と、前記色域規格ＢＴ２０２０の色域範囲の緑色側の頂点と青色側の頂点とを結ぶ辺上の前記第２緑色側頂点の近傍の第２近傍点とを結ぶ線よりも、前記色域規格ＢＴ２０２０の色域範囲の緑色側の頂点側の色を、前記第１近傍点および前記第２近傍点を結ぶ線上の色に変換する第１変換部をさらに備える、請求項５に記載の表示装置。
【請求項７】
前記ｘｙ色度図において、前記色域規格ＢＴ２０２０の色域範囲の緑色側の頂点と青色側の頂点とを結ぶ辺上の点および前記色域規格ＢＴ２０２０の色域範囲の緑色側の頂点と赤色側の頂点とを結ぶ辺上の点を結び、前記ポインターカラーの色域範囲よりも外側に配置される底辺と、前記色域規格ＢＴ２０２０の色域範囲の緑色側の頂点とにより形成される三角形状の第３色域範囲の色を、前記底辺と、前記色域規格ＢＴ２０２０の色域範囲の緑色側の頂点と赤色側の頂点とを結ぶ辺上の前記第１緑色側頂点の近傍の第３近傍点と、前記色域規格ＢＴ２０２０の色域範囲の緑色側の頂点と青色側の頂点とを結ぶ辺上の前記第２緑色側頂点の近傍の第４近傍点とを結ぶ線上の頂点とにより形成される三角形状の第４色域範囲の色に変換する第２変換部をさらに備える、請求項５に記載の表示装置。
【発明の詳細な説明】
【技術分野】
【０００１】
本発明は、表示装置に関し、特に、赤色カラーフィルタと、青色カラーフィルタと、第１の緑色カラーフィルタと、第２の緑色カラーフィルタと、を備える表示装置に関する。
【背景技術】
【０００２】
従来、赤色カラーフィルタと、青色カラーフィルタと、第１の緑色カラーフィルタと、第２の緑色カラーフィルタと、を備える表示装置が知られている（たとえば、特許文献１参照）。
【０００３】
上記特許文献１には、４つ以上の色にそれぞれ対応する複数のカラーフィルタからなる組が配置された表示部を有する表示装置が開示されている。上記特許文献１に記載の表示装置では、複数のカラーフィルタからなる組の全ての組において、カラーフィルタの色の組合せは同じである。なお、上記特許文献１に記載の表示装置では、複数のカラーフィルタからなる組１つが１画素に対応している。
【０００４】
上記特許文献１には、カラーフィルタの組が、たとえば、赤色、青色、緑色、エメラルドグリーン色および白色の５色のカラーフィルタから構成される例が示されている。この場合、カラーフィルタには、赤色、青色、緑色、エメラルドグリーン色および白色のカラーフィルタが含まれるため、赤色、青色、緑色および白色のカラーフィルタが含み、エメラルドグリーン色のカラーフィルタを含まない場合と比較して、カラーフィルタの組合せにより再現可能な色域範囲が広くなっている。なお、エメラルドグリーン色は、緑色に比較的近く、かつ、緑色よりも青色側の色相を有する色である。
【先行技術文献】
【特許文献】
【０００５】
【特許文献１】特開２００７−２４０６５９号公報
【発明の概要】
【発明が解決しようとする課題】
【０００６】
しかしながら、上記特許文献１に記載のような従来の表示装置では、カラーフィルタの組の全てにおいて、カラーフィルタの色の組合せは同じであるので、緑色と、緑色に比較的近い色相を有するエメラルドグリーン色とが、全ての組に配置されている。したがって、上記特許文献１に記載のような従来の表示装置では、再現可能な色域範囲を広くすることができるものの、１つの組に含まれるカラーフィルタの個数が多くなり易いので、各々のカラーフィルタの面積が小さくなり易い。
【０００７】
ここで、液晶表示装置（ＬＣＤ：Ｌｉｑｕｉｄ  Ｃｒｙｓｔａｌ  Ｄｉｓｐｌａｙ）においては、画像の輝度は、カラーフィルタの面積に略比例した値となる。すなわち、ＬＣＤでは、バックライトの輝度を一定とした場合、カラーフィルタの面積が小さくなるにしたがって、画像の輝度が低下してしまう。また、白色の有機ＬＥＤ（ＯＬＥＤ：Ｏｒｇａｎｉｃ  Ｌｉｇｈｔ  Ｅｍｉｔｔｉｎｇ  Ｄｉｏｄｅ）とカラーフィルタとを組み合わせた白色ＯＬＥＤ＋カラーフィルタ方式の表示装置（ＷＯＬＥＤ：Ｗｈｉｔｅ  ＯＬＥＤ）においては、画像の輝度は、白色ＯＬＥＤに印加される電流に略比例した値となる。そして、ＷＯＬＥＤでは、白色ＯＬＥＤの面積は、各々の白色ＯＬＥＤに対応する有機ＬＥＤの面積に略対応している。また、白色ＯＬＥＤに印加される電流密度が、白色ＯＬＥＤの寿命（輝度寿命）に影響するため、カラーフィルタの面積が変更された場合、電流密度を変化させないように、電流の大きさを変更することが一般的である。すなわち、ＷＯＬＥＤでは、カラーフィルタの面積が小さくなるにしたがって、白色ＯＬＥＤに印加される電流を小さくすることにより、輝度が低下してしまう。このため、上記特許文献１に記載のような従来の表示装置では、再現可能な色域範囲を広げるために、各々のカラーフィルタの面積が小さくなることに起因して表示される画像の輝度が低下してしまうという問題点がある。
【０００８】
この発明は、上記のような課題を解決するためになされたものであり、この発明の１つの目的は、画像の輝度が低下するのを抑制しながら、再現可能な色域範囲を広げることが可能な表示装置を提供することである。
【課題を解決するための手段】
【０００９】
上記目的を達成するために、この発明の一の局面における表示装置は、赤色カラーフィルタと、青色カラーフィルタと、第１の緑色に用いられる第１の緑色カラーフィルタと、第１の緑色よりも青色側の色相を有する第２の緑色に用いられる第２の緑色カラーフィルタと、を含むカラーフィルタと、カラーフィルタが配置される表示部と、を備え、表示部には、赤色カラーフィルタ、青色カラーフィルタおよび第１の緑色カラーフィルタを含む第１の組と、赤色カラーフィルタ、青色カラーフィルタおよび第２の緑色カラーフィルタを含み、第１の組とカラーフィルタの個数が等しいとともに第１の組とは異なるフィルタの組合せの第２の組とが、互いに規則的に並ぶように配置されている。
【００１０】
この発明の一の局面による表示装置では、上記のように、表示部に互いに規則的に並ぶように配置され第１の緑色カラーフィルタを含む第１の組と第２の緑色カラーフィルタを含む第２の組とは、カラーフィルタの個数が等しいとともにフィルタの組合せが異なる。これにより、第１の組および第２の組には、それぞれ、第１の緑色カラーフィルタおよび第２の緑色カラーフィルタが必ず含まれるとともに、第１の組および第２の組とでフィルタの組合せが異なる。したがって、たとえば、１つの組に含まれるカラーフィルタの個数を４つとした場合でも、第１の組および第２の組により、赤色、青色、第１の緑色、第２の緑色およびその他の色の５色のカラーフィルタを配置することができる。その結果、第１の緑色カラーフィルタと第２の緑色カラーフィルタとを表示部に配置させた場合でも、一つの組に含まれるカラーフィルタの数を比較的少なくすることができるので、各々のカラーフィルタの面積が小さくなることに起因して表示される画像の輝度が低下してしまうのを抑制しながら、再現可能な色域範囲を広げることができる。なお、第１の緑色と第２の緑色とは比較的近い色相を有するので、第１の緑色カラーフィルタおよび第２の緑色カラーフィルタの両方を、全ての組に配置させなくても、表示部全体として見た場合、所望の色を略再現可能であると考えられる。
【００１１】
上記一の局面による表示装置において、好ましくは、カラーフィルタは、白色カラーフィルタをさらに含み、表示部には、赤色カラーフィルタ、青色カラーフィルタ、第１の緑色カラーフィルタおよび白色カラーフィルタの４種類のフィルタからなる第１の組と、赤色カラーフィルタ、青色カラーフィルタ、第２の緑色カラーフィルタおよび白色カラーフィルタ、または、赤色カラーフィルタ、青色カラーフィルタ、第１の緑色カラーフィルタおよび第２の緑色カラーフィルタの４種類のフィルタからなる第２の組とが、互いに規則的に並ぶように配置されている。このように構成すれば、第２の組が赤色カラーフィルタ、青色カラーフィルタ、第２の緑色カラーフィルタおよび白色カラーフィルタの４種類のフィルタからなる場合、および、赤色カラーフィルタ、青色カラーフィルタ、第１の緑色カラーフィルタおよび第２の緑色カラーフィルタの４種類のフィルタからなる場合のいずれの場合においても、第１の組および第２の組には、それぞれ、第１の緑色カラーフィルタおよび第２の緑色カラーフィルタが必ず含まれるとともに、第１の組および第２の組とでフィルタの組合せが異なるように確実にフィルタを組合せることができる。また、カラーフィルタは、可視光の帯域における殆どの波長（色）の光を透過する白色カラーフィルタを含むので、白色カラーフィルタを含まない場合と比較して表示される画像の輝度を向上させることができる。
【００１２】
上記一の局面による表示装置において、好ましくは、表示部において、第２の緑色カラーフィルタの数が、少なくとも第１の緑色カラーフィルタの数と等しいか、または、第１の緑色カラーフィルタの数よりも少なくなるように、第２の組の数が、第１の組の数と等しいか、または、第１の組の数より少なくなるように配置されている。ここで、緑色の色相よりも青色側（たとえば、シアン色）の色相の光は、緑色の色相よりも赤色側（たとえば、黄色）の色相の光に対して、反射率が小さいので、第２の緑色は、色の見え方をそれぞれの色相で均一化するためには、第１の緑色に対して相対的に低い輝度の方が好ましい。したがって、上記のように構成すれば、第１の緑色よりも青色側の色相を有する第２の緑色の輝度を、第１の緑色の輝度よりも容易に小さくすることができるので、第１の緑色カラーフィルタおよび第２の緑色カラーフィルタを表示部に配置させる場合に、色の見え方がそれぞれの色相でばらつくのを抑制することができる。
【００１３】
上記一の局面による表示装置において、好ましくは、第１の緑色カラーフィルタは、赤色、青色および緑色の混合量を表す色度を２次元座標で表したｘｙ色度図において、赤色カラーフィルタ、青色カラーフィルタおよび第１の緑色カラーフィルタによって表示可能な色域を示す三角形状の第１色域範囲の緑色側の第１緑色側頂点が、色域規格ＢＴ２０２０の色域範囲の緑色側の頂点と赤色側の頂点とを結ぶ辺の近傍に配置されるように構成されるとともに、第２の緑色カラーフィルタは、ｘｙ色度図において、赤色カラーフィルタ、青色カラーフィルタおよび第２の緑色カラーフィルタによって表示可能な色域を示す三角形状の第２色域範囲の緑色側の第２緑色側頂点が、色域規格ＢＴ２０２０の色域範囲の緑色側の頂点と青色側の頂点とを結ぶ辺の近傍に配置されるように構成されている。ここで、赤色カラーフィルタ、青色カラーフィルタ、第１の緑色カラーフィルタおよび第２の緑色カラーフィルタの４種類のカラーフィルタによって再現可能な色域範囲は、第１色域範囲（第２色域範囲）の赤色側の頂点と、第１色域範囲（第２色域範囲）の青色側の頂点と、第１緑色側頂点と、第２緑色側頂点とにより形成される四角形状の範囲となる。したがって、上記のように構成すれば、第１緑色側頂点および第２緑色側頂点が、それぞれ、色域規格ＢＴ２０２０の色域範囲の緑色側の頂点と赤色側の頂点とを結ぶ辺の近傍および色域規格ＢＴ２０２０の色域範囲の緑色側の頂点と青色側の頂点とを結ぶ辺の近傍にない場合と比較して、４種類のカラーフィルタにより再現可能な色域範囲を、色域規格ＢＴ２０２０の色域範囲に容易に近づけることができる。なお、「辺の近傍に配置される」とは、辺上に配置される場合と、辺の付近に配置される場合との両方を含む意味である。
【００１４】
この場合、好ましくは、第１の緑色カラーフィルタおよび第２の緑色カラーフィルタは、それぞれ、第１緑色側頂点および第２緑色側頂点が、ｘｙ色度図において、物体色の色域範囲を示すポインターカラーの色域範囲よりも外側に配置されるように構成されている。このように構成すれば、第１緑色側頂点および第２緑色側頂点のいずれか一方または両方がポインターカラーの色域範囲の内側に配置される場合と比較して、４種類のカラーフィルタにより再現可能な色域範囲を、緑側の色域においてポインターカラーの色域範囲よりも容易に広くすることができる。
【００１５】
上記第１緑色側頂点および第２緑色側頂点がｘｙ色度図においてポインターカラーの色域範囲よりも外側に配置される構成において、好ましくは、ｘｙ色度図において、色域規格ＢＴ２０２０の色域範囲の緑色側の頂点と赤色側の頂点とを結ぶ辺上の第１緑色側頂点の近傍の第１近傍点と、色域規格ＢＴ２０２０の色域範囲の緑色側の頂点と青色側の頂点とを結ぶ辺上の第２緑色側頂点の近傍の第２近傍点とを結ぶ線よりも、色域規格ＢＴ２０２０の色域範囲の緑色側の頂点側の色を、第１近傍点および第２近傍点を結ぶ線上の色に変換する第１変換部をさらに備える。このように構成すれば、色域規格ＢＴ２０２０の色域範囲において、第１近傍点と第２近傍点と緑色側の頂点とにより形成される三角形状の色域範囲の色を、第１変換部により、第１近傍点と第２近傍点とを結ぶ線上の色に変換することができるので、色域規格ＢＴ２０２０の色域範囲に対して、４種類のカラーフィルタにより再現不可能な色域の緑色側の色域範囲を、比較的彩度の近い色に容易に変換することができる。
【００１６】
上記第１緑色側頂点および第２緑色側頂点がｘｙ色度図においてポインターカラーの範囲よりも外側に配置される構成において、好ましくは、ｘｙ色度図において、色域規格ＢＴ２０２０の緑色側の頂点と青色側の頂点とを結ぶ辺上の点および色域規格ＢＴ２０２０の緑色側の色域範囲の頂点と赤色側の頂点とを結ぶ辺上の点を結び、ポインターカラーの色域範囲よりも外側に配置される底辺と、色域規格ＢＴ２０２０の色域範囲の緑色側の頂点とにより形成される三角形状の第３色域範囲の色を、上記底辺と、色域規格ＢＴ２０２０の色域範囲の緑色側の頂点と赤色側の頂点とを結ぶ辺上の第１緑色側頂点の近傍の第３近傍点と、色域規格ＢＴ２０２０の色域範囲の緑色側の頂点と青色側の頂点とを結ぶ辺上の第２緑色側頂点の近傍の第４近傍点とを結ぶ線上の頂点とにより形成される三角形状の第４色域範囲の色に変換する第２変換部をさらに備える。このように構成すれば、色域規格ＢＴ２０２０の色域範囲において、緑色側の頂点と上記底辺とにより形成される三角形状の色域範囲の色を、第３近傍点と第４近傍点とを結ぶ線上の頂点と上記底辺の三角形状の色域範囲の色に変換することができるので、ＢＴ２０２０の色域範囲に対して、４種類のカラーフィルタにより再現不可能な色域の緑色側の範囲を、比較的彩度の近い色に容易に変換することができる。また、三角形状の色域範囲の色を、線上の色に変換する場合と比較して、特定の色で飽和する（色の階調性が失われる）ことなく、色の階調性を表現することができる。また、上記底辺がポインターカラーの色域範囲よりも外側に配置されるので、ポインターカラーの色域範囲の色を、少なくとも緑側の色域において忠実に再現することができる。
【発明の効果】
【００１７】
本発明によれば、上記のように、画像の輝度が低下するのを抑制しながら、再現可能な色域範囲を広げることができる。
【図面の簡単な説明】
【００１８】
【図１】第１実施形態による表示装置のカラーフィルタの配置を説明するための図である。
【図２】第１実施形態による表示装置のカラーフィルタにより再現可能な色域範囲と色域規格ＢＴ２０２０の色域範囲との関係を説明するための図である。
【図３】ｘｙ色度図における色相を説明するための図である。
【図４】第１実施形態による表示装置のカラーフィルタにより再現可能な色域範囲を説明するための図である。
【図５】第１実施形態による表示装置のカラーフィルタにより再現不可能な色域範囲の色を再現可能な色域範囲の色へ変換する方法を説明するための図である。
【図６】第２実施形態による表示装置のカラーフィルタにより再現不可能な色域範囲の色を再現可能な色域範囲の色へ変換する方法を説明するための図である。
【図７】第１実施形態および第２実施形態の第１変形例による表示装置のカラーフィルタの配置を説明するための図である。の図である。
【図８】第１実施形態および第２実施形態の第２変形例による表示装置のカラーフィルタの配置を説明するための図である。の図である。
【図９】第１実施形態および第２実施形態の第３変形例による表示装置のカラーフィルタの配置を説明するための図である。の図である。
【図１０】第１実施形態および第２実施形態の第４変形例による表示装置のカラーフィルタの配置を説明するための図である。の図である。
【図１１】第１実施形態および第２実施形態の第５変形例による表示装置のカラーフィルタの配置を説明するための図である。
【図１２】本発明の変形例による表示装置のカラーフィルタにより再現可能な色域範囲を説明するための図である。
【図１３】本発明の変形例による表示装置のカラーフィルタにより再現可能な別の色域範囲を説明するための図である。
【発明を実施するための形態】
【００１９】
以下、本発明を具体化した実施形態を図面に基づいて説明する。
【００２０】
［第１実施形態］
図１〜図５を参照して、本発明の第１実施形態による表示装置１００の構成について説明する。
【００２１】
図１に示すように、表示装置１００は、カラー画像を表示するため画像表示装置である。表示装置１００は、カラーフィルタ１１が配置される表示部１０を備えている。表示装置１００では、１画素１０ａ毎に４つずつのカラーフィルタ１１が配置されている。表示装置１００では、バックライト（図示しない）から照射された光がカラーフィルタ１１を透過する量を、光の透過特性（透過させる波長帯域）の異なる各々のカラーフィルタ１１毎に調整することにより、所望の色を再現するように構成されている。すなわち、表示装置１００は、液晶表示装置（ＬＣＤ）である。
【００２２】
カラーフィルタ１１は、赤色カラーフィルタＲと、青色カラーフィルタＢと、第１の緑色カラーフィルタＧ１と、第２の緑色カラーフィルタＧ２と、白色カラーフィルタＷと、を含む。赤色カラーフィルタＲは、赤色の光を透過させるためのフィルタである。青色カラーフィルタＢは、青色の光を透過させるためのフィルタである。第１の緑色カラーフィルタＧ１は、第１の緑色の光を透過させるための（第１の緑色に用いられる）フィルタである。第２の緑色カラーフィルタＧ２は、第１の緑色よりも青色側の色相を有する第２の緑色の光を透過させるための（第２の緑色に用いられる）フィルタである。白色カラーフィルタＷは、白色の光を透過させるためのフィルタである。なお、白色の光は、可視光の全ての波長（色）の光が均等に混合された光である。
【００２３】
第１実施形態では、表示部１０には、赤色カラーフィルタＲ、青色カラーフィルタＢおよび第１の緑色カラーフィルタＧ１を含む第１の組Ｃ１と、赤色カラーフィルタＲ、青色カラーフィルタＢおよび第２の緑色カラーフィルタＧ２を含み、第１の組Ｃ１とカラーフィルタ１１の個数が等しいとともに第１の組Ｃ１とは異なるフィルタの組合せの第２の組Ｃ２とが、互いに規則的に並ぶように配置されている。詳細には、表示部１０には、赤色カラーフィルタＲ、青色カラーフィルタＢ、第１の緑色カラーフィルタＧ１および白色カラーフィルタＷの４種類のフィルタからなる第１の組Ｃ１と、赤色カラーフィルタＲ、青色カラーフィルタＢ、第２の緑色カラーフィルタＧ２および白色カラーフィルタＷの４種類のフィルタからなる第２の組Ｃ２とが、互いに規則的に並ぶように配置されている。なお、「第１の組Ｃ１と第２の組Ｃ２とが規則的に並ぶ」とは、表示部１０において、第１の組Ｃ１と第２の組Ｃ２とが、縦方向および横方向に、所定の比率で繰り返されるように並ぶことを意味する。図１では、縦方向において、第１の組Ｃ１、第１の組Ｃ１、第１の組Ｃ１および第２の組Ｃ２の４組が繰り返し並ぶとともに、横方向において、第２の組Ｃ２の位置が縦方向に３列分ずれた位置で繰り返し並ぶ例を示している。
【００２４】
また、第１実施形態では、表示部１０において、第２の緑色カラーフィルタＧ２の数が、第１の緑色カラーフィルタＧ１の数よりも少なくなるように、第２の組Ｃ２の数が、第１の組Ｃ１の数より少なくなるように配置されている。具体的には、表示部１０には、第１の組Ｃ１の数と、第２の組Ｃ２の数とが、３対１の比率で配置されている。すなわち、表示部１０には、第１の緑色カラーフィルタＧ１の数と、第２の緑色カラーフィルタＧ２の数とが、３対１の比率で配置されている。
【００２５】
次に、図２〜図５のｘｙ色度図を用いて、表示装置１００において再現可能な色域について説明する。ｘｙ色度図は、赤色、青色および緑色の混合量を表す色度をｘおよびｙの２次元座標で表した図である。図２に示すように、ｘｙ色度図では、全ての色が、スペクトル軌跡と純紫軌跡とに囲まれた馬蹄形状の領域で表現されている。スペクトル軌跡は、単色の色に相当する。純紫軌跡は、紫、赤紫等のスペクトルには存在しない色に相当する。馬蹄形状の内部の領域は、複数の色が混じった混色に相当する。なお、図３に示すように、ｘｙ色度図において、ｘの値が大きくなるにしたがって、赤が強くなり、ｘの値が小さくなるにしたがって、青が強くなる。また、ｙの値が大きくなるにしたがって、緑が強くなり、ｙの値が小さくなるにしたがって、青が強くなる。なお、図２では、色域規格ＩＴＵ−Ｒ  ＢＴ．７０９の色域範囲、色域規格ＤＣＩ−Ｐ３よりも色域が広い色域規格ＤＣＩ−Ｐ３の色域範囲および色域規格ＤＣＩ−Ｐ３よりも色域が広い色域規格ＢＴ２０２０の色域範囲Ａ２０が示されている。また、図２では、欧州/北欧における平均的な正午の光に相当する標準光源Ｄ６５が示されている。また、図２では、色相（波長）毎の吸収率Ｌ＊の大きさを○の大きさで示している。また、図２では、物体色の色域範囲を示すポインターカラーの色域範囲Ａ３０を、ＳｐｅｃＬｏｃと表記している。
【００２６】
図２に示すように、表示装置１００では、赤色カラーフィルタＲ、青色カラーフィルタＢおよび第１の緑色カラーフィルタＧ１によって再現可能な色域は、ｘｙ色度図の色域範囲Ａ１１となるように構成されている。また、赤色カラーフィルタＲ、青色カラーフィルタＢおよび第２の緑色カラーフィルタＧ２によって再現可能な色域は、ｘｙ色度図の色域範囲Ａ１２となるように構成されている。図２では、色域範囲Ａ１１および色域範囲Ａ１２を示す線を「Ｍｏｄｅｌ１」および「Ｄｅｌｔａ２」と表記している。なお、色域範囲Ａ１１および色域範囲Ａ１２は、それぞれ、特許請求の範囲の「第１色域範囲」および「第２色域範囲」の一例である。
【００２７】
色域範囲Ａ１１は、赤色側の頂点Ｐ１１、青色側の頂点Ｐ１２および緑色側の頂点Ｐ１３により形成される三角形状の色域範囲である。色域範囲Ａ１２は、赤色側の頂点Ｐ１１、青色側の頂点Ｐ１２および緑色側の頂点Ｐ１４により形成される三角形状の色域範囲である。図２に示すように、表示装置１００では、色域範囲Ａ１１は、ＩＴＵ−Ｒ  ＢＴ．７０９よりも色域が広く、かつ、色域規格ＤＣＩ−Ｐ３と略同等の色域範囲を有するように構成されている。なお、頂点Ｐ１３および頂点Ｐ１４は、それぞれ、特許請求の範囲の「第１緑色側頂点」および「第２緑色側頂点」の一例である。
【００２８】
表示装置１００では、頂点Ｐ１３の座標は、（ｘ、ｙ）＝（略０．２８、略０．６８）である。また、頂点Ｐ１４の座標は、（ｘ、ｙ）＝（略０．１５、略０．６５）である。色相を環状に示した色相環（図示しない）上の角度で言い換えると、頂点Ｐ１３は、赤色との色相差１２０度と１５０度との間に相当する位置である。また、頂点Ｐ１４は、赤色との色相差１５０度と１８０度との間に相当する位置である。なお、図２では、赤色と色相差が１２０度、１５０度および１８０度を示す線を、それぞれ、Ｈｕｅ１２０、Ｈｕｅ１５０およびＨｕｅ１８０と表記している。
【００２９】
図１に示すように、第１の組Ｃ１および第２の組Ｃ２には、それぞれ、第２の緑色カラーフィルタＧ２および第１の緑色カラーフィルタＧ１が含まれない。しかしながら、第１の緑色と第２の緑色とは比較的近い色相を有するので、第１の緑色カラーフィルタＧ１および第２の緑色カラーフィルタＧ２の両方を、全ての組に配置させなくても、表示部１０全体として見た場合、所望の色を略再現可能である。すなわち、図４に示すように、表示装置１００では、第１の組Ｃ１または第２の組Ｃ２のいずれかに含まれる赤色カラーフィルタＲ、青色カラーフィルタＢ、第１の緑色カラーフィルタＧ１および第２の緑色カラーフィルタＧ２の４種類のフィルタにより、頂点Ｐ１１、頂点Ｐ１２、頂点Ｐ１３および頂点Ｐ１４により形成される四角形状の色域範囲Ａ１０の色が再現可能である。色域範囲Ａ１０は、色域範囲Ａ１１と、色域範囲Ａ１２と、色域範囲Ａ１１および色域範囲Ａ１２により挟まれた色域範囲Ａ１３と、を含む範囲となる。なお、表示装置１００では、四角形状の色域範囲Ａ１０は、色域規格ＢＴ２０２０の色域範囲Ａ２０の緑色側の頂点Ｐ２３側の部分以外を、概ね含むように構成されている。また、四角形状の色域範囲Ａ１０は、ポインターカラーの色域範囲Ａ３０を、概ね含むように構成されている。
【００３０】
図２に示すように、ｘｙ色度図において、頂点Ｐ１２、頂点Ｐ１３および頂点Ｐ１４により形成される領域Ａ１４の色相の光の吸収率Ｌ＊の大きさは、頂点Ｐ１１、頂点Ｐ１３および頂点Ｐ１４により形成される領域Ａ１５の色相の光の吸収率Ｌ＊の大きさよりも相対的に小さくなっている。言い換えると、色の見え方を均等にするためには、領域Ａ１４の色相の光の輝度は、領域Ａ１５の色相の光の輝度より小さい方が好ましい。したがって、上述したように、表示部１０において、領域Ａ１４の色相の光の輝度に寄与する第２の緑色カラーフィルタＧ２の数が、領域Ａ１５の色相の光の輝度に寄与する第１の緑色カラーフィルタＧ１の数よりも少なくなるように構成されている。
【００３１】
図４に示すように、第１実施形態では、第１の緑色カラーフィルタＧ１は、ｘｙ色度図において、色域範囲Ａ１１の緑色側の頂点Ｐ１３が、色域規格ＢＴ２０２０の色域範囲Ａ２０の緑色側の頂点Ｐ２３と赤色側の頂点Ｐ２１とを結ぶ辺Ｌ２１の近傍に配置されるように構成されている。また、第２の緑色カラーフィルタＧ２は、ｘｙ色度図において、色域範囲Ａ１２の緑色側の頂点Ｐ１４が、色域規格ＢＴ２０２０の色域範囲Ａ２０の緑色側の頂点Ｐ２３と青色側の頂点Ｐ２２とを結ぶ辺Ｌ２２の近傍に配置されるように構成されている。また、第１の緑色カラーフィルタＧ１および第２の緑色カラーフィルタＧ２は、それぞれ、頂点Ｐ１３および頂点Ｐ１４が、ｘｙ色度図において、ポインターカラーの色域範囲Ａ３０よりも外側に配置されるように構成されている。
【００３２】
具体的には、頂点Ｐ１３は、ｘｙ色度図において、色域規格ＢＴ２０２０の色域範囲Ａ２０の緑色側の頂点Ｐ２３と赤色側の頂点Ｐ２１とを結ぶ辺Ｌ２１よりもｘおよびｙの値が小さく、かつ、辺Ｌ２１の近傍に配置されている。また、頂点Ｐ１４は、ｘｙ色度図において、色域規格ＢＴ２０２０の色域範囲Ａ２０の緑色側の頂点Ｐ２３と青色側の頂点Ｐ２２とを結ぶ辺Ｌ２２よりもｘおよびｙの値が小さく、かつ、辺Ｌ２２の近傍に配置されている。また、頂点Ｐ１３および頂点Ｐ１４は、それぞれ、ｘｙ色度図において、ポインターカラーの色域範囲Ａ３０の緑色側の境界よりもｙの値が大きくなるように配置されている。
【００３３】
また、第１実施形態では、表示装置１００は、点Ｐ２４と点Ｐ２５とを結ぶ線Ｌ４１よりも色域規格ＢＴ２０２０の色域範囲Ａ２０の緑色側の頂点Ｐ２３側の色を、点Ｐ２４および点Ｐ２５を結ぶ線Ｌ４１上の色に変換するように構成されている。点Ｐ２４は、ｘｙ色度図において、色域規格ＢＴ２０２０の色域範囲Ａ２０の緑色側の頂点Ｐ２３と赤色側の頂点Ｐ２１とを結ぶ辺Ｌ２１上の頂点Ｐ１３の近傍の点である。また、点Ｐ２５は、ｘｙ色度図において、色域規格ＢＴ２０２０の色域範囲Ａ２０の緑色側の頂点Ｐ２３と青色側の頂点Ｐ２２とを結ぶ辺Ｌ２２上の頂点Ｐ１４の近傍の点である。
【００３４】
具体的には、図１に示すように、表示装置１００は、制御部２０を備えている。図５に示すように、制御部２０（図１参照）は、色域規格ＢＴ２０２０の色域範囲Ａ２０の緑色側の頂点Ｐ２３と赤色側の頂点Ｐ２１とを結ぶ辺Ｌ２１上における、頂点Ｐ１３の近傍の点Ｐ２４を算出する。点Ｐ２４は、たとえば、頂点Ｐ１３を通る辺Ｌ２１の垂線における辺Ｌ２１との交点（辺Ｌ２１において頂点Ｐ１３から最短の位置）である。また、制御部２０は、色域規格ＢＴ２０２０の色域範囲Ａ２０の緑色側の頂点Ｐ２３と赤色側の頂点Ｐ２１とを結ぶ辺Ｌ２２上における、頂点Ｐ１４の近傍の点Ｐ２５を算出する。点Ｐ２５は、たとえば、頂点Ｐ１４を通る辺Ｌ２２の垂線における辺Ｌ２２との交点（辺Ｌ２２において頂点Ｐ１４から最短の位置）である。
【００３５】
そして、制御部２０は、頂点Ｐ２３と点Ｐ２４と点Ｐ２５とにより形成された三角形状の色域範囲Ａ４０の色を示すデータ（画像信号）を、点Ｐ２４と点Ｐ２５とを結ぶ線Ｌ４１上の色を示すデータ（画像信号）に投影するように変換する。すなわち、制御部２０は、図中の矢印で示した直線上の色を示すデータを、直線の先端位置（線Ｌ４１上）の色を示すデータに変換する。なお、制御部２０は、特許請求の範囲の「第１変換部」の一例である。
【００３６】
（第１実施形態の効果）
第１実施形態では、以下のような効果を得ることができる。
【００３７】
第１実施形態では、上記のように、表示部１０に互いに規則的に並ぶように配置されている第１の緑色カラーフィルタＧ１を含む第１の組Ｃ１と第２の緑色カラーフィルタＧ２を含む第２の組Ｃ２とは、カラーフィルタ１１の個数が等しいとともにフィルタの組合せが異なる。これにより、第１の組Ｃ１および第２の組Ｃ２には、それぞれ、第１の緑色カラーフィルタＧ１および第２の緑色カラーフィルタＧ２が必ず含まれるとともに、第１の組Ｃ１および第２の組Ｃ２とでフィルタの組合せが異なる。したがって、１つの組に含まれるカラーフィルタ１１の個数を４つとした場合でも、第１の組Ｃ１および第２の組Ｃ２により、赤色、青色、第１の緑色、第２の緑色およびその他の色（白色）の５色のカラーフィルタ１１を配置することができる。その結果、第１の緑色カラーフィルタＧ１と第２の緑色カラーフィルタＧ２とを表示部１０に配置させた場合でも、一つの組に含まれるカラーフィルタ１１の数を比較的少なくすることができるので、各々のカラーフィルタ１１の面積が小さくなることに起因して表示される画像の輝度が低下してしまうのを抑制しながら、再現可能な色域範囲Ａ１０を広げることができる。
【００３８】
また、第１実施形態では、上記のように、カラーフィルタ１１は、白色カラーフィルタＷを含む。そして、表示部１０には、赤色カラーフィルタＲ、青色カラーフィルタＢ、第１の緑色カラーフィルタＧ１および白色カラーフィルタＷの４種類のフィルタからなる第１の組Ｃ１と、赤色カラーフィルタＲ、青色カラーフィルタＢ、第２の緑色カラーフィルタＧ２および白色カラーフィルタＷの４種類のフィルタからなる第２の組Ｃ２とを、互いに規則的に並ぶように配置させる。これにより、第１の組Ｃ１および第２の組Ｃ２には、それぞれ、第１の緑色カラーフィルタＧ１および第２の緑色カラーフィルタＧ２が必ず含まれるとともに、第１の組Ｃ１および第２の組Ｃ２とでフィルタの組合せが異なるように確実にフィルタを組合せることができる。また、カラーフィルタ１１は、可視光の帯域における殆どの波長（色）の光を透過する白色カラーフィルタＷを含むので、白色カラーフィルタＷを含まない場合と比較して表示される画像の輝度を向上させることができる。
【００３９】
また、第１実施形態では、上記のように、表示部１０において、第２の緑色カラーフィルタＧ２の数が、第１の緑色カラーフィルタＧ１の数よりも少なくなるように、第２の組Ｃ２の数が、第１の組Ｃ１の数より少なくなるように配置させる。これにより、第１の緑色よりも青色側の色相を有する第２の緑色の輝度を、第１の緑色の輝度よりも容易に小さくすることができるので、第１の緑色カラーフィルタＧ１および第２の緑色カラーフィルタＧ２を表示部１０に配置させる場合に、色の見え方がそれぞれの色相でばらつくのを抑制することができる。
【００４０】
また、第１実施形態では、上記のように、第１の緑色カラーフィルタＧ１を、赤色、青色および緑色の混合量を表す色度を２次元座標で表したｘｙ色度図において、赤色カラーフィルタＲ、青色カラーフィルタＢおよび第１の緑色カラーフィルタＧ１によって表示可能な色域を示す三角形状の色域範囲Ａ１１の緑色側の頂点Ｐ１３が、色域規格ＢＴ２０２０の色域範囲Ａ２０の緑色側の頂点Ｐ２３と赤色側の頂点Ｐ２１とを結ぶ辺Ｌ２１の近傍に配置されるように構成する。また、第２の緑色カラーフィルタＧ２を、ｘｙ色度図において、赤色カラーフィルタＲ、青色カラーフィルタＢおよび第２の緑色カラーフィルタＧ２によって表示可能な色域を示す三角形状の色域範囲Ａ１２の緑色側の頂点Ｐ１４が、色域規格ＢＴ２０２０の色域範囲Ａ２０の緑色側の頂点Ｐ２３と青色側の頂点Ｐ２２とを結ぶ辺Ｌ２２の近傍に配置されるように構成する。これにより、頂点Ｐ１３および頂点Ｐ１４が、それぞれ、色域規格ＢＴ２０２０の色域範囲Ａ２０の色域範囲Ａ２０の緑色側の頂点Ｐ２３と赤色側の頂点Ｐ２１とを結ぶ辺Ｌ２１の近傍および色域規格ＢＴ２０２０の緑色側の頂点Ｐ２３と青色側の頂点Ｐ２２とを結ぶ辺Ｌ２２の近傍にない場合と比較して、４種類のカラーフィルタ１１により再現可能な色域範囲Ａ１０を、色域規格ＢＴ２０２０の色域範囲Ａ２０に容易に近づけることができる。
【００４１】
また、第１実施形態では、上記のように、第１の緑色カラーフィルタＧ１および第２の緑色カラーフィルタＧ２を、それぞれ、頂点Ｐ１３および頂点Ｐ１４が、ｘｙ色度図において、物体色の色域範囲を示すポインターカラーの色域範囲Ａ３０よりも外側に配置されるように構成する。これにより、頂点Ｐ１３および頂点Ｐ１４のいずれか一方または両方がポインターカラーの色域範囲Ａ３０の内側に配置される場合と比較して、４種類のカラーフィルタ１１により再現可能な色域範囲Ａ１０を、ポインターカラーの色域範囲Ａ３０よりも容易に広くすることができる。
【００４２】
また、第１実施形態では、上記のように、表示装置１００は、点Ｐ２４と点Ｐ２５とを結ぶ線Ｌ４１よりも色域規格ＢＴ２０２０の色域範囲Ａ２０の緑色側の頂点Ｐ２３側の色を、点Ｐ２４および点Ｐ２５を結ぶ線Ｌ４１上の色に変換する制御部２０を備える。点Ｐ２４は、ｘｙ色度図において、色域規格ＢＴ２０２０の色域範囲Ａ２０の緑色側の頂点Ｐ２３と赤色側の頂点Ｐ２１とを結ぶ辺Ｌ２１上の頂点Ｐ１３の近傍の点である。また、点Ｐ２５は、ｘｙ色度図において、色域規格ＢＴ２０２０の緑色側の頂点Ｐ２３と青色側の頂点Ｐ２２とを結ぶ辺Ｌ２２上の頂点Ｐ１４の近傍の点である。これにより、色域規格ＢＴ２０２０の色域範囲Ａ２０において、点Ｐ２４と点Ｐ２５と緑色側の頂点Ｐ２３とにより形成される三角形状の色域範囲Ａ４０の色を、制御部２０により、点Ｐ２４と点Ｐ２５とを結ぶ線Ｌ４１上の色に変換することができるので、色域規格ＢＴ２０２０の色域範囲Ａ２０に対して、４種類のカラーフィルタ１１により再現不可能な色域の緑色側の色域範囲を、比較的彩度の近い色に容易に変換することができる。
【００４３】
［第２実施形態］
図１および図６を参照して、第２実施形態について説明する。この第２実施形態では、三角形状の色域範囲Ａ４０の色を線Ｌ４１上の色に変換する第１実施形態の表示装置１００と異なり、三角形状の色域範囲Ａ５１の色を三角形状の色域範囲Ａ５２に変換するように構成した例について説明する。なお、図中において、上記第１実施形態と同様の構成の部分には、同一の符号を付している。
【００４４】
図１に示すように、本発明の第２実施形態による表示装置２００は、制御部２２０を備えている。なお、制御部２２０は、特許請求の範囲の「第２変換部」の一例である。
【００４５】
図６に示すように、第２実施形態では、制御部２２０は、色域範囲Ａ５１の色を色域範囲Ａ５２の色に変換するように構成されている。色域範囲Ａ５１は、ｘｙ色度図において、色域規格ＢＴ２０２０の色域範囲Ａ２０の緑色側の頂点Ｐ２３と青色側の頂点Ｐ２２とを結ぶ辺Ｌ２２上の点および色域規格ＢＴ２０２０の緑色側の頂点Ｐ２３と赤色側の頂点Ｐ２１とを結ぶ辺Ｌ２１上の点を結び、ポインターカラーの色域範囲Ａ２０よりも外側に配置される底辺Ｌ５１と、色域規格ＢＴ２０２０の緑色側の頂点Ｐ２３とにより形成される三角形状の色域範囲である。また、色域範囲Ａ５２は、ｘｙ色度図において、底辺Ｌ５１と、色域規格ＢＴ２０２０の色域範囲Ａ２０の緑色側の頂点Ｐ２３と赤色側の頂点Ｐ２１とを結ぶ辺Ｌ２１上の頂点Ｐ１３の近傍の点Ｐ２４と、色域規格ＢＴ２０２０の色域範囲Ａ２０の緑色側の頂点Ｐ２３と青色側の頂点Ｐ２２とを結ぶ辺Ｌ２２上の頂点Ｐ１４の近傍の点Ｐ２５とを結ぶ線Ｌ４１上の頂点Ｐ１５とにより形成される三角形状の色域範囲である。なお、色域範囲Ａ５１および色域範囲Ａ５２は、それぞれ、特許請求の範囲の「第３色域範囲」および「第４色域範囲」の一例である。
【００４６】
具体的には、制御部２２０は、色域規格ＢＴ２０２０の色域範囲Ａ２０の緑色側の頂点Ｐ２３と赤色側の頂点Ｐ２１とを結ぶ辺Ｌ２１上における点Ｐ２６と、色域規格ＢＴ２０２０の緑色側の頂点Ｐ２３と青色側の頂点Ｐ２２とを結ぶ辺Ｌ２２上における点Ｐ２７とを、点Ｐ２６と点Ｐ２７とを結ぶ底辺Ｌ５１が、ポインターカラーの色域範囲Ａ２０よりも外側に配置されるように算出する。なお、「底辺Ｌ５１が、ポインターカラーの色域範囲Ａ２０よりも外側に配置される」とは、底辺Ｌ５１が、ポインターカラーの色域範囲Ａ２０の輪郭に接しないことを意味する。また、制御部２２０は、点Ｐ２４と点Ｐ２５とを結ぶ線Ｌ４１上の頂点Ｐ１５を算出する。頂点Ｐ１５は、点Ｐ２４と点Ｐ２５との略中央の点である。
【００４７】
そして、制御部２２０は、頂点Ｐ２３と点Ｐ２６と点Ｐ２７とにより形成された三角形状の色域範囲Ａ５１の色を示すデータ（画像信号）を、頂点Ｐ１５と点Ｐ２６と点Ｐ２７とにより形成された三角形状の色域範囲Ａ５２の色を示すデータ（画像信号）に変換する。すなわち、制御部２０は、三角形状の色域範囲Ａ５１の大きさを三角形状の色域範囲Ａ５２の大きさに圧縮するように、色域範囲Ａ５１内の色を示すデータを、色域範囲Ａ５２内の色を示すデータに変換する。
【００４８】
なお、第２実施形態による表示装置２００のその他の構成は、上記第１実施形態と同様である。
【００４９】
（第２実施形態の効果）
第２実施形態では、上記のように、表示装置２００は、色域範囲Ａ５１の色を色域範囲Ａ５２の色に変換する制御部２２０を備える。色域範囲Ａ５１は、ｘｙ色度図において、色域規格ＢＴ２０２０の色域範囲Ａ２０の緑色側の頂点Ｐ２３と青色側の頂点Ｐ２２とを結ぶ辺Ｌ２２上の点および色域規格ＢＴ２０２０の色域範囲Ａ２０の緑色側の頂点Ｐ２３と赤色側の頂点Ｐ２１とを結ぶ辺Ｌ２１上の点を結び、ポインターカラーの色域範囲Ａ２０よりも外側に配置される底辺Ｌ５１と、色域規格ＢＴ２０２０の緑色側の頂点Ｐ２３とにより形成される三角形状の色域範囲である。また、色域範囲Ａ５２は、ｘｙ色度図において、底辺Ｌ５１と、色域規格ＢＴ２０２０の色域範囲Ａ２０の緑色側の頂点Ｐ２３と赤色側の頂点Ｐ２１とを結ぶ辺Ｌ２１上の頂点Ｐ１３の近傍の点Ｐ２４と、色域規格ＢＴ２０２０の色域範囲Ａ２０の緑色側の頂点Ｐ２３と青色側の頂点Ｐ２２とを結ぶ辺Ｌ２２上の頂点Ｐ１４の近傍の点Ｐ２５とを結ぶ線Ｌ４１上の頂点Ｐ１５とにより形成される三角形状の色域範囲である。これにより、色域規格ＢＴ２０２０の色域範囲Ａ２０において、緑色側の頂点Ｐ２３と底辺Ｌ５１とにより形成される三角形状の色域範囲Ａ５１の色を、点Ｐ２４と点Ｐ２５とを結ぶ線Ｌ４１上の頂点Ｐ１５と底辺Ｌ５１の三角形状の色域範囲Ａ５２の色に変換することができるので、色域規格ＢＴ２０２０の色域範囲Ａ２０に対して、４種類のカラーフィルタ１１により再現不可能な色域の緑色側の色域範囲を、比較的彩度の近い色に容易に変換することができる。また、三角形状の色域範囲の色を、線上の色に変換する場合と比較して、特定の色で飽和する（色の階調性が失われる）ことなく、色の階調性を表現することができる。また、底辺Ｌ５１がポインターカラーの色域範囲Ａ３０よりも外側に配置されるので、ポインターカラーの色域範囲Ａ３０の色を、少なくとも緑側の色域において忠実に再現することができる。
【００５０】
なお、第２実施形態のその他の効果は、上記第１実施形態と同様である。
【００５１】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５２】
たとえば、上記第１および第２実施形態では、表示部１０に、赤色カラーフィルタＲ、青色カラーフィルタＢ、第１の緑色カラーフィルタＧ１および白色カラーフィルタＷからなる第１の組Ｃ１と、赤色カラーフィルタＲ、青色カラーフィルタＢ、第２の緑色カラーフィルタＧ２および白色カラーフィルタＷからなる第２の組Ｃ２とを、互いに規則的に並ぶように配置させた例を示したが本発明はこれに限られない。本発明では、図７に示す第１変形例による表示装置３００のように表示部３１０に、赤色カラーフィルタＲ、青色カラーフィルタＢ、第１の緑色カラーフィルタＧ１および白色カラーフィルタＷからなる第１の組Ｃ１と、赤色カラーフィルタＲ、青色カラーフィルタＢ、第１の緑色カラーフィルタＧ１および第２の緑色カラーフィルタＧ２からなる第２の組Ｃ２２とを、互いに規則的に並ぶように配置させてもよい。図７では、縦方向において、第１の組Ｃ１、第１の組Ｃ１および第２の組Ｃ２２の３組が繰り返し並ぶとともに、横方向において、第２の組Ｃ２２の位置が縦方向に２列分ずれた位置で繰り返し並ぶ例を示している。
【００５３】
また、上記第１および第２実施形態では、表示部１０において、第２の緑色カラーフィルタＧ２の数が、第１の緑色カラーフィルタＧ１の数よりも少なくなるように、第２の組Ｃ２の数を、第１の組Ｃ１の数より少なくなるように配置させた例を示したが本発明はこれに限られない。本発明では、図８に示す第２変形例による表示装置４００のように、表示部４１０において、第２の緑色カラーフィルタＧ２の数が、第１の緑色カラーフィルタＧ１の数と等しくなるように、第２の組Ｃ２の数を、第１の組Ｃ１の数と等しくなるように配置させてもよい。
【００５４】
また、上記第１および第２実施形態では、表示部１０に、１画素１０ａ毎に４つずつのカラーフィルタ１１を配置させた例を示したが本発明はこれに限られない。本発明では、図９に示す第３変形例による表示装置５００、図１０に示す第４変形例による表示装置６００および図１１に示す第５変形例による表示装置７００のように、表示部５１０（６１０、７１０）に、１画素５１０ａ毎に３つずつのカラーフィルタ１１を配置させてもよい。
【００５５】
図９、図１０および図１１では、上記第１および第２実施形態と異なり、縦方向において、組（第１の組Ｃ１または第２の組Ｃ２）が半分（カラーフィルタ１１の２つ部分）ずつ横方向にずれた位置となるように配置されている。図９および図１１では、第１の組Ｃ１の数と、第２の組Ｃ２の数とが、３対１の比率で配置された例を示している。図１０では、第１の組Ｃ１の数と、第２の組Ｃ２２の数とが、３対１の比率で配置された例を示している。
【００５６】
また、上記第１および第２実施形態では、カラーフィルタ１１を、白色カラーフィルタＷを含むように構成した例を示したが本発明はこれに限られない。本発明では、カラーフィルタ１１を、白色カラーフィルタＷを含まないように構成してもよい。
【００５７】
また、上記第１および第２実施形態では、表示装置１００を液晶表示装置（ＬＣＤ）として構成した例を示したが本発明はこれに限られない。本発明では、表示装置を、白色の有機ＬＥＤ（ＯＬＥＤ）とカラーフィルタとを組み合わせた白色ＯＬＥＤ＋カラーフィルタ方式の表示装置（ＷＯＬＥＤ）として構成してもよい。
【００５８】
また、上記第１および第２実施形態では、色域範囲Ａ１１の緑色側の頂点Ｐ１３の座標を、（ｘ、ｙ）＝（略０．２８、略０．６８）とするとともに、色域範囲Ａ１２の緑色側の頂点Ｐ１４の座標を、（ｘ、ｙ）＝（略０．１５、略０．６５）とした例を示したが本発明はこれに限られない。本発明では、図１２に示すように、頂点Ｐ１３および頂点Ｐ１４を、それぞれ、範囲Ａ１内のいずれかの位置および範囲Ｂ１のいずれかの位置とするように構成してもよい。また、図１３に示すように、頂点Ｐ１３および頂点Ｐ１４を、それぞれ、（範囲Ａ１よりも小さい）範囲Ａ２内のいずれかの位置および（範囲Ｂ１よりも小さい）範囲Ｂ２内のいずれかの位置とするように構成してもよい。なお、範囲Ａ１および範囲Ｂ１には、ポインターカラーの色域範囲Ａ３０の内側に位置する部分が含まれ、範囲Ａ２および範囲Ｂ２には、ポインターカラーの色域範囲Ａ３０の内側に位置する部分が含まれない。
【００５９】
図１２に示すように、範囲Ａ１は、点ａ１１、点ａ１２、点ａ１３および点ａ１４の４点に囲まれた四角形状の範囲である。点ａ１１の座標、点ａ１２の座標、点ａ１３の座標および点ａ１４の座標は、それぞれ、（ｘ、ｙ）＝（０．２００、０．６８９）、（０．４００、０．５０１）、（０．４９０、０．５９７）および（０．２９０、０．７８５）である。なお、点ａ１１と点ａ１２とを結ぶ直線（ｙ＝−０．９３８７ｘ＋０．８７６６）および点ａ１３と点ａ１４とを結ぶ直線（ｙ＝−０．９３８７ｘ＋１．０５６６）は、色域規格ＢＴ２０２０の色域範囲Ａ２０の緑色側の頂点Ｐ２３と赤色側の頂点Ｐ２１とを結ぶ辺Ｌ２１に略平行な直線である。また、点ａ１１と点ａ１４とを結ぶ直線（ｙ＝１．０６５ｘ＋０．４７６）および点ａ１２と点ａ１３とを結ぶ直線（ｙ＝１．０６５ｘ＋０．０７５）は、点ａ１１と点ａ１２とを結ぶ直線および点ａ１３と点ａ１４とを結ぶ直線に略垂直な直線である。
【００６０】
また、範囲Ｂ１は、点ｂ１１、点ｂ１２、点ｂ１３および点ｂ１４の４点に囲まれた四角形状の範囲である。点ｂ１１の座標、点ｂ１２の座標、点ｂ１３の座標および点ｂ１４の座標は、それぞれ、（ｘ、ｙ）＝（０．１００、０．４４９）、（０．２０４、０．４４４）、（０．２１７、０．７０２）および（０．１１３、０．７０７）である。なお、点ｂ１１と点ｂ１４とを結ぶ直線（ｙ＝１９．２５６ｘ−３．４７７）および点ａ１２と点ａ１３とを結ぶ直線（ｙ＝１９．２５６ｘ−１．４７７）は、色域規格ＢＴ２０２０の色域範囲Ａ２０の緑色側の頂点Ｐ２３と青色側の頂点Ｐ２２とを結ぶ辺Ｌ２２に略平行な直線である。また、点ａ１１と点ａ１２とを結ぶ直線（ｙ＝−０．０５２ｘ＋０．４５４）および点ａ１３と点ａ１４とを結ぶ直線（ｙ＝−０．０５２ｘ＋０．７１３）は、点ａ１１と点ａ１４とを結ぶ直線および点ａ１２と点ａ１３とを結ぶ直線に略垂直な直線である。
【００６１】
また、図１３に示すように、範囲Ａ２は、点ａ２１、点ａ２２、点ａ２３および点ａ２４の４点に囲まれた四角形状の範囲である。点ａ２１の座標、点ａ２２の座標、点ａ２３の座標および点ａ２４の座標は、それぞれ、（ｘ、ｙ）＝（０．２００、０．６８９）、（０．３２０、０．５７６）、（０．４１０、０．６７２）および（０．２９０、０．７８５）である。なお、点ａ２１と点ａ２２とを結ぶ直線（ｙ＝−０．９３８７ｘ＋０．８７６６）および点ａ２３と点ａ２４とを結ぶ直線（ｙ＝−０．９３８７ｘ＋１．０５６６）は、色域規格ＢＴ２０２０の色域範囲Ａ２０の緑色側の頂点Ｐ２３と赤色側の頂点Ｐ２１とを結ぶ辺Ｌ２１に略平行な直線である。また、点ａ２１と点ａ２４とを結ぶ直線（ｙ＝１．０６５ｘ＋０．４７６）および点ａ２２と点ａ２３とを結ぶ直線（ｙ＝１．０６５ｘ＋０．２３５）は、点ａ２１と点ａ２２とを結ぶ直線および点ａ２３と点ａ２４とを結ぶ直線に略垂直な直線である。
【００６２】
また、範囲Ｂ２は、点ｂ２１、点ｂ２２、点ｂ２３および点ｂ２４の４点に囲まれた四角形状の範囲である。点ｂ２１の座標、点ｂ２２の座標、点ｂ２３の座標および点ｂ２４の座標は、それぞれ、（ｘ、ｙ）＝（０．１０５、０．５４５）、（０．２０９、０．５４０）、（０．２１７、０．７０２）および（０．１１３、０．７０７）である。なお、点ｂ２１と点ｂ２４とを結ぶ直線（ｙ＝１９．２５６ｘ−３．４７７）および点ａ２２と点ａ２３とを結ぶ直線（ｙ＝１９．２５６ｘ−１．４７７）は、色域規格ＢＴ２０２０の色域範囲Ａ２０の緑色側の頂点Ｐ２３と青色側の頂点Ｐ２２とを結ぶ辺Ｌ２２に略平行な直線である。また、点ａ２１と点ａ２２とを結ぶ直線（ｙ＝−０．０５２ｘ＋０．５５１）および点ａ２３と点ａ２４とを結ぶ直線（ｙ＝−０．０５２ｘ＋０．７１３）は、点ａ２１と点ａ２４とを結ぶ直線および点ａ２２と点ａ２３とを結ぶ直線に略垂直な直線である。
【符号の説明】
【００６３】
１０  表示部
１１  カラーフィルタ
２０  制御部（第１変換部）
１００、２００、３００、４００、５００、６００、７００、８００  表示装置
２２０  制御部（第２変換部）
Ａ１１  色域範囲（第１色域範囲）
Ａ１２  色域範囲（第２色域範囲）
Ａ２０  色域規格ＢＴ２０２０の色域範囲
Ａ３０  ポインターカラーの色域範囲
Ａ５１  色域範囲（第３色域範囲）
Ａ５２  色域範囲（第４色域範囲）
Ｂ  青色カラーフィルタ
Ｃ１  第１の組
Ｃ２、Ｃ２２  第２の組
Ｇ１  第１の緑色カラーフィルタ
Ｇ２  第２の緑色カラーフィルタ
Ｌ２１  （色域規格ＢＴ２０２０の色域範囲の緑色側の頂点と赤色側の頂点とを結ぶ）辺
Ｌ２２  （色域規格ＢＴ２０２０の色域範囲の緑色側の頂点と青色側の頂点とを結ぶ）辺
Ｌ４１  （第１近傍点および第２近傍点を結ぶ）線、（第３近傍点および第４近傍点を結ぶ）線
Ｌ５１  （ポインターカラーの色域範囲よりも外側に配置される）底辺
Ｐ１３  頂点（第１緑色側頂点）
Ｐ１４  頂点（第２緑色側頂点）
Ｐ２１  （色域規格ＢＴ２０２０の色域範囲の）赤色側の頂点
Ｐ２２  （色域規格ＢＴ２０２０の色域範囲の）青色側の頂点
Ｐ２３  （色域規格ＢＴ２０２０の色域範囲の）緑色側の頂点
Ｐ２４  点（第１近傍点、第３近傍点）
Ｐ２５  点（第２近傍点、第４近傍点）
Ｒ  赤色カラーフィルタ
Ｗ  白色カラーフィルタ
【図１】
2020067519.tif 000003
【図２】
2020067519.tif 000004
【図３】
2020067519.tif 000005
【図４】
2020067519.tif 000006
【図５】
2020067519.tif 000007
【図６】
2020067519.tif 000008
【図７】
2020067519.tif 000009
【図８】
2020067519.tif 000010
【図９】
2020067519.tif 000011
【図１０】
2020067519.tif 000012
【図１１】
2020067519.tif 000013
【図１２】
2020067519.tif 000014
【図１３】
2020067519.tif 000015